(57)【特許請求の範囲】
【請求項１】
ケース本体の側面にショルダーベルトを取り付けた釣竿ケースに於て、
前記ショルダーベルトの取付側であって、ケース本体に取り付くショルダーベルトを中心にケース本体を正面視した際に視認できるケース本体の側面領域に、釣竿出し入れ用の開口部を設けたことを特徴とする釣竿ケース。
【請求項２】
前記ショルダーベルトが取り付く側面と反対側のケース本体の少なくともその長手方向の中央より上方側に、平面状の接地部を設けたことを特徴とする請求項１に記載の釣竿ケース。
【請求項３】
前記ショルダーベルトが取り付く側面と反対側のケース本体の少なくともその長手方向の中央より上方側に、当該釣竿ケースの成形材料より硬質の材料で形成した接地部を設けたことを特徴とする請求項１または請求項２に記載の釣竿ケース。
【発明の詳細な説明】
【技術分野】
【０００１】
本発明は、釣竿を収容して携帯する釣竿ケースに関する。
【背景技術】
【０００２】
従来、釣人は、壊れ易い釣竿を釣竿ケースに収容して釣場に携行している。
特許文献１または特許文献２に開示されるように、この種の釣竿ケースは、釣竿を収容する筒状のケース本体と、当該ケース本体の底部に取り付く樹脂成形品のボトムカップ（底皿体）とを備え、ケース本体の側面には、釣竿ケースを肩に掛けて持ち運ぶためのショルダーベルトや手で持ち運ぶためのハンドル（把手）を始め、小物用のフロントポケットやサイドポケット等が取り付けられている。
【０００３】
そして、ハンドルを握って釣竿ケースを持ち運ぶ際に、ショルダーベルトが地面に触れて汚れてしまうことがないように、ハンドルはショルダーベルトと取付面を同じくしてその内側に取り付けられている。
また、釣竿ケースには、釣竿を出し入れする開口部がケース本体の頂部近傍からボトムカップに亘って設けられており、この開口部に、スライダーの操作で当該開口部を開閉するスライドファスナーが取り付けられている。
【特許文献１】特開２００２−４５０９９号公報
【特許文献２】実開平７−３００６９号公報
【発明の開示】
【発明が解決しようとする課題】
【０００４】
ところで、図５に示すように釣人１が釣竿ケース３を肩に掛けて釣場５に到着すると、釣人１は両手でショルダーベルト７を握って釣竿ケース３を肩から下ろし、これを岩９等に立てかけているが、ショルダーベルト７を握って釣竿ケース３を下ろすと、自重で釣竿ケース３（ケース本体１１）が垂れ下がってショルダーベルト７の取付面１３側が釣人１に対向するため、釣竿ケース３はケース本体１１の背面１５側が岩９等に当接して立てかけられることとなる。
【０００５】
しかし、特許文献１，２に開示されるように、従来、釣竿ケースは、釣竿を出し入れする開口部がショルダーベルトの取付面と反対側（ケース本体の背面側）に設けられていたり、開口部がケース本体の側部側に設けられているため、立てかけた釣竿ケースの開口部が釣人に向くことがないのが実情であった。
このため、釣竿を開口部から取り出す際に、釣人は岩等に立てかけた釣竿ケースの開口部を釣人に向け直さなければならず、また、従来、この種の釣竿ケースには、立てかけた釣竿ケースの位置決めを図る手段が施されていないことも相俟って、開口部を釣人に向け直した際に、釣竿ケースが倒れたりぐらついて使い勝手が悪かった。
【０００６】
更にまた、釣りを終えて釣竿を収容するために開口部を釣人に向け直した際にも、同様に釣竿ケースが倒れたりぐらついたりして、使い勝手がよくないのが実情であった。
本発明は斯かる実情に鑑み案出されたもので、上述の如き従来の不具合を解消して、使い勝手の向上を図った釣竿ケースを提供することを目的とする。
【課題を解決するための手段】
【０００７】
斯かる目的を達成するため、請求項１に係る発明は、ケース本体の側面にショルダーベルトを取り付けた釣竿ケースに於て、前記ショルダーベルトの取付側であって、ケース本体に取り付くショルダーベルトを中心にケース本体を正面視した際に視認できるケース本体の側面領域に、釣竿出し入れ用の開口部を設けたことを特徴とする。
【０００８】
そして、請求項２に係る発明は、請求項１に記載の釣竿ケースに於て、前記ショルダーベルトが取り付く側面と反対側のケース本体の少なくともその長手方向の中央より上方側に、平面状の接地部を設けたことを特徴とし、請求項３に係る発明は、請求項１または請求項２に記載の釣竿ケースに於て、前記ショルダーベルトが取り付く側面と反対側のケース本体の少なくともその長手方向の中央より上方側に、当該釣竿ケースの成形材料より硬質の材料で形成した接地部を設けたことを特徴とする。
【発明の効果】
【０００９】
請求項１に係る発明によれば、ショルダーベルトを掴んで釣竿ケースを肩から下ろして、ショルダーベルトを釣人側に向けて岩等に立てかけると、釣竿を出し入れする開口部が釣人に対向するため、釣竿の取り出しや実釣後の収容が容易となって使い勝手が向上する利点を有する。
そして、請求項２及び請求項３に係る発明によれば、位置決め用の接地部が開口部と反対側のケース本体に形成されているため、接地部を岩等に当接させて釣竿ケースを立てかければ、必ず開口部が釣人側に向くので、あらゆる釣人に使い勝手のよい釣竿ケースを提供することが可能である。
【発明を実施するための最良の形態】
【００１０】
以下、本発明の実施形態を図面に基づいて詳細に説明する。
図１及び図２は請求項１乃至請求項３の第一実施形態に係る釣竿ケースを示し、図に於て、２１は所定形状に裁断された１枚のシート材２３を筒状に屈曲して形成した釣竿ケース２５のケース本体で、その底部は、シート材２３より硬い合成樹脂材料で形成された断面コ字状のボトムカップ（底皿体）２７内に差し込まれて、その全周がボトムカップ２７の側壁２９に縫糸で縫着されて止着されている。
【００１１】
図２に示すようにシート材２３は、所定形状に裁断された１枚のポリウレタンやエチレン酢酸ビニル等の合成樹脂やゴム等の発泡材シート（独立気泡発泡材または連続気泡発泡材）３１の表裏に、ナイロンやポリプロピレン等の薄い外布３３と内布３５を添設した積層構造をなしている。
そして、シート材２３の突合わせ端部が、釣竿を出し入れする開口部３７とされているが、釣竿の出し入れを容易にするため、本実施形態は、当該開口部３７を、ケース本体２１の側面に取り付くショルダーベルト３９の当該側面側に設けたことを特徴とする。
【００１２】
即ち、図１及び図２に示すように、ケース本体２１の側面の背中当接面４１に、ショルダーベルト３９がケース本体２１の長手方向に沿って取り付くと共に、ショルダーベルト３９と取付面を同じくしてその内側に手提げ用のハンドル４３がケース本体２１の長手方向に沿って取り付き、更にケース本体２１の左右側部にサイドポケット４５，４７が取り付けられているが、本実施形態は、ケース本体２１の側面のうち、ショルダーベルト３９の取付側であって、ケース本体２１に取り付くショルダーベルト３９の上下の取付部４９，５１を中心に当該ケース本体２１を正面視した際に視認できるケース本体２１の側面領域、即ち、図２に於て、断面略円形のケース本体２１の側面のうち前後中央より正面側の側面領域に、前記開口部３７をケース本体２１の長手方向に、その頂部からボトムカップ２７に亘って設けたものである。
【００１３】
そして、前記開口部３７に、スライダー５３の操作で当該釣竿開口部３７を開閉するスライドファスナー５５が取り付けられており、図２に示すようにファスナーエレメント５５ａ，５５ｂが取り付く一対のファスナーテープ５５ｃ，５５ｄは、夫々、シート材２３の突合わせ端部で外布３３と内布３５との間に縫着されている。
また、図２に示すように背中当接面４１と反対側のケース本体２１の背面側には、ケース本体２１の長手方向に沿ってその頂部側からボトムカップ２７側に亘る平面状の接地部５７がシート材２３（発泡材シート３１）を加工して正面視帯状に形成されると共に、当該接地部５７の表面全域に、発泡材シート３１より硬質の合成樹脂材料で形成された正面視帯状のシート材５９が貼着されており、図３の如く当該接地部５７，シート材５９を岩９等に当接させて釣竿ケース２５を立てかけた際に、接地部５７の平面形状とシート材５９の材質によって釣竿ケース２５がぐらつくことなく位置決めされるようになっている。
【００１４】
尚、本実施形態は、ケース本体２１の頂部側からボトムカップ２７側に亘って平面状の接地部５７を設けたが、ケース本体２１の少なくともその長手方向の中央より上方側に平面状の接地部を設けることで釣竿ケース２５の位置決めが可能である。
また、前記シート材５９を省略して接地部５７だけの構造としてもよいし、接地部５７に代え、筒状に形成したケース本体の背面側（開口部３７と反対側の側面）の外周にシート材５９のみを貼着してもよい。
【００１５】
更にまた、接地部５７，シート材５９を平面状に形成した場合、ケース本体が安定して接地する面が形成されていればよく、例えば表面に滑り止め用の凹凸が形成されていてもよい。
本実施形態はこのように構成されているから、図３に示すように釣場５に到着した釣人１がショルダーベルト３９を握って釣竿ケース２５を肩から下ろすと、自重で釣竿ケース２５（ケース本体２１）が垂れ下がってショルダーベルト３９の取付面（背中当接面４１）側が釣人１に対向する。
【００１６】
そして、この状態で、ケース本体２１の背面側に設けた接地部５７とシート材５９を岩９等に当接させれば、接地部５７とシート材５９とによって釣竿ケース２５はずれることなく岩９等に位置決めされて立てかけられ、釣竿を出し入れする開口部３７が釣人１に対向して配置されることとなる。
従って、釣人１は、スライドファスナー５５のスライダー５３を操作して開口部３７を開放することで釣竿を釣竿ケース２５から取り出すことができ、この時、接地部５７の平面形状とシート材５９の材質によって位置決めされているため、釣竿ケース２５がぐらついたり倒れたりすることがない。
【００１７】
同様に、釣りを終えて釣竿を釣竿ケース２５内に収容する際も、接地部５７とシート材５９によって釣竿ケース２５がぐらつくことなく位置決めされて開口部３７が釣人１に対向しているため、釣竿を簡単に収容することができる。
このように本実施形態に係る釣竿ケース２５は、図３に示すようにショルダーベルト３９を掴んで肩から下ろして接地部５７とシート材５９を岩９等に当接させて立てかけると、釣竿ケース２５がぐらつくことなく位置決めされて開口部３７が釣人１に対向するため、従来に比し釣竿の取り出しや実釣後の収容が容易となって使い勝手が向上することとなった。
【００１８】
而も、既述したように本実施形態は、位置決め用の接地部５７と開口部３７とがケース本体２１の反対側に夫々配置されているため、接地部５７を岩９等に当接させて釣竿ケース２５を立てかければ、必ず開口部３７が釣人１側に向くので、あらゆる釣人に使い勝手のよい釣竿ケース２５を提供することが可能である。
図４は請求項１乃至請求項３に係る釣竿ケースの第二実施形態を示し、本実施形態は、１枚のシート材２３を筒状に屈曲して形成した前記ケース本体２１に代え、断面Ｃ字状に屈曲させたシート材２３の一端６１側と、平滑な板状のシート材２３の一端６３側とを突き合わせて、夫々の外布３３，内布３５を長手方向に縫着することで断面Ｄ字状のケース本体６５を形成したもので、両シート材２３の他端側の突き合わせ端部は釣竿ケース６７の開口部３７とされており、当該開口部３７はケース本体６５の頂部からボトムカップに亘って設けられている。
【００１９】
そして、前記釣竿ケース２５と同様、この開口部３７にスライドファスナー５５が取り付けられており、ファスナーエレメント５５ａ，５５ｂが取り付く一対のファスナーテープ５５ｃ，５５ｄは、夫々、シート材２３の突合わせ端部で外布３３と内布３５との間に縫着されている。
更に、図示するように平滑な板状のシート材２３の外周には、ショルダーベルト３９がケース本体６５の長手方向に沿って取り付くと共に、ショルダーベルト３９と取付面を同じくしてその内側に手提げ用のハンドル４３がケース本体６５の長手方向に沿って取り付けられており、ショルダーベルト３９を中心にケース本体６５を正面視した際に、前記開口部３７（スライドファスナー５５）が当該ショルダーベルト３９に沿ってその右側に視認できる構造となっている。
【００２０】
また、前記釣竿ケース２５と同様、ショルダーベルト３９の取付側と反対側のケース本体６５の背面側には、ケース本体６５の長手方向に沿ってその頂部側からボトムカップ側に亘る平面状の接地部５７がシート材２３（発泡材シート３１）を加工して正面視帯状に形成されると共に、当該接地部５７の表面全域に、発泡材シート３１より硬質の樹脂材料で形成された正面視帯状のシート材５９が貼着されており、当該接地部５７，シート材５９を岩等に当接させて釣竿ケース６７を立てかけると、接地部５７の平面形状とシート材５９の材質によって釣竿ケース６７がぐらつくことなく位置決めされて、開口部３７が釣人側に向くようになっている。
【００２１】
その他、図中、６９，７１は、前記サイドポケット４５，４７と同様、ケース本体６５の左右側部に取り付くサイドポケットである。
本実施形態に係る釣竿ケース６７はこのように構成されているから、釣場に到着した釣人がショルダーベルト３９を握って釣竿ケース６７を肩から下ろすと、自重で釣竿ケース６７（ケース本体６５）が垂れ下がってショルダーベルト３９の取付面側が釣人に対向する。
【００２２】
そして、この状態で、ケース本体６５の背面側に設けた接地部５７とシート材５９を岩等に当接させれば、接地部５７の形状とシート材５９の材質とによって釣竿ケース６７はずれることなく岩等に位置決めされて立てかけられ、釣竿を出し入れする開口部３７が釣人に対向して配置されることとなる。
従って、釣人は、スライドファスナー５５のスライダーを操作して開口部３７を開放することで釣竿を釣竿ケース６７から取り出すことができ、この時、接地部５７とシート材５９によって位置決めされているため、釣竿ケース６７がぐらついたり倒れたりすることがない。
【００２３】
同様に、釣りを終えて釣竿を釣竿ケース６７内に収容する際も、接地部５７とシート材５９によってぐらつくことなく位置決めされて開口部３７が釣人に対向しているため、釣竿を簡単に収容することができる。
このように本実施形態に係る釣竿ケース６７も、ショルダーベルト３９を掴んで肩から下ろして接地部５７とシート材５９を岩等に当接させて立てかけると、釣竿ケース６７がぐらつくことなく位置決めされて開口部３７が釣人に対向するため、従来に比し釣竿の取り出しや実釣後の収容が容易となって使い勝手が向上する利点を有する。
【００２４】
また、位置決め用の接地部５７と開口部３７とがケース本体６５の反対側に夫々配置されているため、接地部５７を岩等に当接させて釣竿ケース６７を立てかければ、必ず開口部３７が釣人側に向くので、あらゆる釣人に使い勝手のよい釣竿ケース６７を提供することが可能である。
尚、上記各実施形態は、発泡材シート３１を有するシート材２３を屈曲させてケース本体２１，６５を形成した釣竿ケース２５，６７に本発明を適用したが、発泡材でないシートを用いてケース本体を形成した釣竿ケースに本発明を適用できることは勿論、例えばケース本体の一部をナイロン等の薄く軽い織布で形成した釣竿ケース等にも適用可能であって、これらの釣竿ケースに本発明を適用しても、前記各実施形態と同様、所期の目的を達成することが可能である。
【図面の簡単な説明】
【００２５】
【図１】請求項１乃至請求項３の第一実施形態に係る釣竿ケースの正面図である。
【図２】図１に示す釣竿ケースの断面図である。
【図３】図１に示す釣竿ケースの使用方法の説明図である。
【図４】請求項１乃至請求項３の第二実施形態に係る釣竿ケースの断面図である。
【図５】従来の釣竿ケースの使用方法の説明図である。
【符号の説明】
【００２６】
２１  ケース本体
２３，５９  シート材
２５  釣竿ケース
３１  発泡材シート
３３  外布
３５  内布
３７  開口部
３９  ショルダーベルト
４１  背中当接面
４３  ハンドル
５５  スライドファスナー
５７  接地部
【図１】
0004550765.tif 000002
【図２】
0004550765.tif 000003
【図３】
0004550765.tif 000004
【図４】
0004550765.tif 000005
【図５】
0004550765.tif 000006